(57)【要約】      （修正有）【課題】大気空気の流れと空気の影響で窓と戸のすきまの間で超微細粉塵が室内に流入するのを遮断して、室内に供給される空気により室内を常に外部酸素含量が高いきれいな空気で満たされようにする外部空気の室内供給装置を提供する。【解決手段】本発明は本体(1)の下部に着脱可能にフィルターケース(2)を設置して、上記のフィルターケース(2)内に着脱可能に多数のフィルター素材が収納されたフィルター部(3)を設置し、上記のフィルターケース(2)の上部には送風機(4)を設置して、電源スイッチ(6)をオンすると、送風機(4)が作動され、外部の空気がフィルターケース(2)のフィルター部(3)を通じて浄化された後、送風機(4)によって流入されてダクト(7)を通じて、外壁(5)の空気通路(8)を経て、室内に流出されることで、室内にはいつもきれいな空気が維持される構成とする。【選択図】図３
2020076548.tif 000002
【特許請求の範囲】
【請求項１】
屋外に設置される本体と、上記本体の下部に設置されるフィルターケースと、上記フィルターケース内に着脱可能に設置されるフィルター部と、上記のフィルター部によって浄化された空気を流入してこれをダクトと外壁の空気通路を通じて室内に流出するための送風機と、上記送風機の電源を供給または遮断するための電源スイッチと、上記の外壁の内側に設置され、空気を分散するための空気分散機と、上記空気分散機側に設置されて0.3ミクロン以上の粉塵の流入感知のときこれを警告灯を通じて表示してくれる感知センサーを含む、外部空気の内供給装置。
【請求項２】
上記本体の出口の方に酸素発生器や陰イオン発生器または芳香剤を選択的に使用可能に設置した請求項1に記載の外部空気の室内供給装置
【請求項３】
上記のフィルター部は,それぞれのフィルター袋の内部にフィルター素材が具備されて,一体型にフィルターケース内に設置されている、請求項1に記載の外部空気の室内供給装置
【発明の詳細な説明】
【技術分野】
【０００１】
本発明は外部の空気(自然の風)を室内に供給する外部空気の室内供給装置に関するもので、とりわけ、外部の空気をフィルター部を通じて浄化して室内に供給する装置であり、酸素発生器や陰イオン発生器または芳香剤を送風室内に設置して好みに合わせて使用できることはもちろん、フィルター部を通じて外気をミクロン以上ナノまで浄化することができ、0.3ミクロン以上の粉塵の流入の際それを感知して、警告灯を通じて表示できるようにしたものである。
【背景技術】
【０００２】
一般的にマンションまたは個人住宅の室内に空気浄化機または陰イオン発生器または酸素発生器などを設置して使用しているが、室内の制限された空気で吸入または排出が連続されることで、室内酸素の濃度が急激に落ちて炭素の数値が上がるだけでなく、外部微細粉塵が窓と戸のすきまの間を通じて室内に入ってくる問題がある。
また,既存に空気清浄機などをどれだけ長くつけておいても家の中で発生するホコリや二酸化炭素などの数値は下げることができない。これはフィルターでろ過するのに限界があるためである。
【先行技術文献】
【特許文献】
【０００３】
【特許文献１】日本特開昭 62-48934号公報
【特許文献２】日本実用公開 2017150856号公報
【発明の概要】
【発明が解決しようとする課題】
【０００４】
本発明はこのような従来の欠点を解決するためのものである。本発明の目的は、大気空気の流れと空気の影響で窓と戸のすきまの間で超微細粉塵が室内に流入するのを遮断して、室内に供給される空気により室内を常に外部酸素含量が高いきれいな空気で満たされようにする外部空気の室内供給装置を提供することにある。
【課題を解決するための手段】
【０００５】
このような目的を達成するための本発明は、屋外に一つの本体が設置されて、上記本体に、外気をフィルタリングするフィルタリング手段、上記フィルタリング手段によって浄化された空気を吸入してこれを室内に供給するための送風手段、上記送風手段によって供給される外部の浄化された空気を室内に運搬するための運搬手段、上記送風手段を作動させるための電源制御手段、0.3ミクロン以上の粉塵の流入の際それを感知して、警告灯を通じて表示してくれる感知センサーを含めて構成することを特徴としている。
【０００６】
上記フィルタリング手段は、一つのフィルターケース内に多数のフィルター素材を収納し、一体型に着脱できるように構成したもので、それぞれのフィルター袋内にフィルター素材が内蔵されてミクロン以上ナノまで浄化できるように構成することを特徴としている。
上記本体の送風手段一側に特定の香りを発散する芳香剤やマイナスイオンを発散する陰イオン発生器または酸素を発生する酸素発生器を含めて構成することを特徴としている。
【発明の効果】
【０００７】
以上のように、本発明は外部に設置されて外部の空気をフィルタリングして浄化された外部の空気を室内に供給することで、室内はいつもきれいな空気が維持されることはもちろん、流入される屋外空気によって室内の窓枠などにたまったほこりが室外に排出され、室内をいつもきれいに維持できるので微細粉塵から人体を保護することができる効果がある。
【図面の簡単な説明】
【０００８】
【図１】図1は本発明による外部空気の室内供給装置の分解図面。
【図２】図2は本発明による外部空気の室内供給装置の結合図面。
【図３】図3は本発明の設置状態を示した図面。
【図４】図4は本発明の送風機を示したものである。
【発明を実施するための形態】
【０００９】
以下、本発明の実施例を添付された図面を参考として、詳しく説明すると次のようになる。
図1は本発明の分解図面, 図2は結合状態図面、図3は設置状態を示した図で、屋外に設置される一つの本体(1)と、上記本体(1)の下部に設置されるフィルターケース(2)と、上記フィルターケース(2)内に着脱可能に設置される一体型のフィルター部(3)と,上記のフィルター部(3)によって浄化された空気を室内に送出するための送風機(4)と、上記送風機(4)によって送風される空気を室内に伝えるためのエアダクト(7)と、上記送風機(4)に電源を供給または遮断するための電源スイッチ(6)、0.3ミクロン以上の粉塵の流入の際それを感知して、警告灯を通じて表示する粉塵の流入感知センサー(S)で構成される。また、図面中符号8は、外壁(5)に形成された空気通路、9は送風機とフィルターケースを結合するためのねじ、10は酸素発生器、11は陰イオン発生器、12は芳香剤、13は空気分散器である。
【００１０】
但し、上記送風機(4)のモーターとファンは図4のように、扇風機などに適用されるモーターとファンがなく、高圧のバーナー空気供給用送風機である。
【００１１】
このように構成された本発明の作用を説明する。
本発明は、アパートや家庭の外部に外部空気の室内供給装置を設置し、外部の空気を浄化した状態でこれをダクト(7)を通じて室内に流入するようにしたものであり、図3のようにマンションや民家の外壁(5)の外側に本体(1)を設置する。
【００１２】
上記本体(1)の下部にはフィルターケース(2)が結合され、上記フィルターケース(2)には図1のようにフィルター部(3)を脱着可能に設置することができる。
上記のフィルター部(3)はフィルター素材を多数具備しており、全体が一体型に形成されている。、また、フィルター部(3)を構成する多数のフィルター収納部は、袋ポケット（フィルター袋）の形で構成され、その中に個々のフィルター素材がそれぞれ収納される形で構成されている。
【００１３】
上記フィルターケース(2)の上部には送風機(4)が設置されているが、通常モーターの駆動によって動作するように一つまたは二つの送風ファンを具備している。このような本発明の外部空気の室内供給装置を作動しようとする場合には室内に設置された電源スイッチ(6)をオンすると、送風機(4)に電源が供給され、送風機(4)が作動することになり、これによって送風機(4)下部に設置されたフィルターケース(2)を通じて外部の空気が吸い込まれて流入される。
【００１４】
この時、フィルターケース(2)に流入される外部の空気はこのようなフィルターケース(2)内に収納されたフィルター部(3)の多数のフィルター素材によってきれいに浄化されるが、例えば、フィルター部(3)によってミクロン以上ナノのレベルまでの粉塵が除去され、空気が浄化される。ここで、上記のフィルター部(3)にはそれぞれのフィルター収納部の内部にフィルターの素材が具備され、フィルター部（３）として一体的にフィルターケース(2)内に着脱可能に設置される。
【００１５】
したがって、フィルター部(3)によって浄化された外部の空気が送風機(4)によって吸入された状態でエア・ダクト(7)に沿って外壁(5)の空気通路(8)を通じて室内に流入されるが、この時、外壁(5)の内側に空気分散機(13)が設置されており、空気が直接家の中に流入されず、このような空気分散機(13)を通じて分散して室内に流入される。こうして本体(1)の送風機(4)を通じて室内に流入されるきれいな空気によって室内にはいつも快適な空気状態を維持することになる
【００１６】
本発明では0.3ミクロン以上の粉塵の流入の際、それを警告灯を通じて表示する粉塵の流入感知センサー(S)が設けられており、使用者が簡単に異常の状態を把握することができる。また、室内の窓枠などにたまった微細ホコリ等は、外部から流入する空気の圧力によって自然に外部に出される。
【００１７】
これは空気圧によって空気循環が実施されるために片方から空気が流入されると、空気循環によって他方では空気が流出されるからである。一方、本発明は、上記本体(1)の送風機(4)の出口の方に、酸素発生器(10)や陰イオン発生器(11)または芳香剤(12)などを使用者の必要に応じて選択的に設置することが出来、これにより送風機(4)の風によって酸素やマイナスイオンまたは香水を室内に簡単に流入させることができる特徴がある。
【符号の説明】
【００１８】
1:本体 
2:フィルターケース
3:フィルター部 
4:送風機
5:外壁 
6:電源スイッチ 
7:ダクト 
8:空気通路
9:ねじ 
10:酸素発生器 
11:陰イオン発生器 
12:芳香剤
13:空気分散機 
S:粉塵の流入感知センサー
【図１】
2020076548.tif 000003
【図２】
2020076548.tif 000004
【図３】
2020076548.tif 000005
【図４】
2020076548.tif 000006